(57)【特許請求の範囲】
【請求項１】
前面側に開口部を有する外箱と、
上記外箱の開口部に開閉可能に取り付けられたドアと、
上記ドアの外縁側に上記開口部側に向かって突出するように設けられ、上記ドアに回動可能またはスライド可能に支持されたツメ部と、
上記外箱の開口部の周縁部分に設けられ、上記ドアが上記外箱の開口部を閉じた状態で上記ツメ部が係止する係止部と、
上記ツメ部が上記係止部に係止する方向に付勢する付勢部と、
上記ドアに設けられ、上記ツメ部を上記係止する方向とは反対の方向に回動またはスライドさせて上記係止部に係止可能にする操作部と、
上記外箱の開口部の周縁部分に設けられたストッパー部と
を備え、
上記ドアが開状態でかつ上記操作部が操作されていない状態において、上記ツメ部が上記ストッパー部に当接することで上記ドアが閉まらないようにしており、
上記ドアが開状態でかつ上記操作部の操作により上記ツメ部が上記係止する方向とは反対の方向に回動またはスライドした状態において、上記ツメ部が上記ストッパー部に当接しないことによって、上記ドアを閉鎖可能にしていることを特徴とする衣類処理装置。
【請求項２】
請求項１に記載の衣類処理装置において、
上記操作部は、上記ドアに設けられた把手であることを特徴とする衣類処理装置。
【請求項３】
請求項１または２に記載の衣類処理装置において、
上記操作部は、上記ドアが閉じた状態から開いたとき、操作が禁止されたロック状態となり、
上記ドアの上記操作部に隣接するように設けられ、上記操作部のロック状態を解除するためのロック解除ボタンを備え、
上記ロック解除ボタンを操作中のみ、上記操作部の操作が可能になることを特徴とする衣類処理装置。
【請求項４】
請求項１から３までのいずれか１つに記載の衣類処理装置において、
上記ドアの外縁側に径方向に出没可能に設けられ、上記ドアが開いた状態で径方向外向に突出して上記ドアが閉まらないようにするドア閉じ防止部と、
上記ドアが開いた状態で突出した上記ドア閉じ防止部を没入させる解除操作部と
を備え、
上記ドアが開いて上記ドア閉じ防止部が径方向外向に突出した状態で、上記解除操作部を操作することにより上記ドア閉じ防止部を径方向内向に没入させて上記ドアを閉鎖可能にすることを特徴とする衣類処理装置。
【請求項５】
前面側に開口部を有する外箱と、
上記外箱の開口部に開閉可能に取り付けられたドアと、
上記ドアを閉めた状態でロックするロック機構と、
上記ドアに設けられ、上記ロック機構によるロック状態を解除する操作部と、
上記ドアの外縁側に径方向に出没可能に設けられ、上記ドアが開いた状態で径方向外向に突出して上記ドアが閉まらないようにするドア閉じ防止部と
を備え、
上記ドアが開いて上記ドア閉じ防止部が径方向外向に突出した状態で、上記操作部を操作することにより上記ドア閉じ防止部を径方向内向に没入させて上記ドアを閉鎖可能にすることを特徴とする衣類処理装置。
【発明の詳細な説明】
【技術分野】
【０００１】
この発明は、衣類処理装置に関し、ドラム式洗濯機やドラム式乾燥機などの衣類処理装置に関する。
【背景技術】
【０００２】
従来、衣類処理装置としては、ドアが閉まらないようにドア側に突起形状の閉止抑制部を設けたものがある(例えば、特許第５６４５４６４号(特許文献１)参照)。上記衣類処理装置では、ドアが開いた状態に保って洗濯槽内にかびが発生したり、不用意にドアが閉まったりするのを防止できる。
【先行技術文献】
【特許文献】
【０００３】
【特許文献１】特許第５６４５４６４号
【発明の概要】
【発明が解決しようとする課題】
【０００４】
ところが、上記衣類処理装置では、運転停止時には、ドア側の突起形状の閉止抑制部を操作することにより閉止抑制部を外箱側に突出させる必要がある一方で、洗濯運転や乾燥運転時には、突起形状の閉止抑制部をドア側に収納する操作をしなければドアが閉まらないため、使用性が悪いという問題がある。
【０００５】
そこで、この発明の課題は、簡単な構成で使用性のよいドア閉じ防止ができる衣類処理装置を提供することにある。
【課題を解決するための手段】
【０００６】
上記課題を解決するため、この発明の衣類処理装置は、
前面側に開口部を有する外箱と、
上記外箱の開口部に開閉可能に取り付けられたドアと、
上記ドアの外縁側に上記開口部側に向かって突出するように設けられ、上記ドアに回動可能またはスライド可能に支持されたツメ部と、
上記外箱の開口部の周縁部分に設けられ、上記ドアが上記外箱の開口部を閉じた状態で上記ツメ部が係止する係止部と、
上記ツメ部が上記係止部に係止する方向に付勢する付勢部と、
上記ドアに設けられ、上記ツメ部を上記係止する方向とは反対の方向に回動またはスライドさせて上記係止部に係止可能にする操作部と、
上記外箱の開口部の周縁部分に設けられたストッパー部と
を備え、
上記ドアが開状態でかつ上記操作部が操作されていない状態において、上記ツメ部が上記ストッパー部に当接することで上記ドアが閉まらないようにしており、
上記ドアが開状態でかつ上記操作部の操作により上記ツメ部が上記係止する方向とは反対の方向に回動またはスライドした状態において、上記ツメ部が上記ストッパー部に当接しないことによって、上記ドアを閉鎖可能にしていることを特徴とする。
【０００７】
また、一実施形態の衣類処理装置では、
上記操作部は、上記ドアに設けられた把手である。
【０００８】
また、一実施形態の衣類処理装置では、
上記操作部は、上記ドアが閉じた状態から開いたとき、操作が禁止されたロック状態となり、
上記ドアの上記操作部に隣接するように設けられ、上記操作部のロック状態を解除するためのロック解除ボタンを備え、
上記ロック解除ボタンを操作中のみ、上記操作部の操作が可能になる。
【０００９】
また、一実施形態の衣類処理装置では、
上記ドアの外縁側に径方向に出没可能に設けられ、上記ドアが開いた状態で径方向外向に突出して上記ドアが閉まらないようにするドア閉じ防止部と、
上記ドアが開いた状態で突出した上記ドア閉じ防止部を没入させる解除操作部と
を備え、
上記ドアが開いて上記ドア閉じ防止部が径方向外向に突出した状態で、上記解除操作部を操作することにより上記ドア閉じ防止部を径方向内向に没入させて上記ドアを閉鎖可能にする。
【００１０】
また、この発明の衣類処理装置は、
前面側に開口部を有する外箱と、
上記外箱の開口部に開閉可能に取り付けられたドアと、
上記ドアを閉めた状態でロックするロック機構と、
上記ドアに設けられ、上記ロック機構によりロック状態を解除する操作部と、
上記ドアの外縁側に径方向に出没可能に設けられ、上記ドアが開いた状態で径方向外向に突出して上記ドアが閉まらないようにするドア閉じ防止部と
を備え、
上記ドアが開いて上記ドア閉じ防止部が径方向外向に突出した状態で、上記操作部を操作することにより上記ドア閉じ防止部を径方向内向に没入させて上記ドアを閉鎖可能にする。
【００１１】
したがって、ドア閉じ防止部が外箱の開口部の周縁部分に当たることで、使用性のよいドア閉じ防止がより確実にできる。
【発明の効果】
【００１２】
この発明によれば、簡単な構成で使用性のよいドア閉じ防止ができる衣類処理装置を実現することができる。
【図面の簡単な説明】
【００１３】
【図１】図１はこの発明の第１実施形態の衣類処理装置の一例としてのドラム式洗濯乾燥機の斜視図である。
【図２】図２は上記ドラム式洗濯乾燥機のドアを開けた状態の斜視図である。
【図３】図３は上記ドアの裏面図である。
【図４】図４は上記ドアの押さえ部材を外した状態の裏面図である。
【図５】図５は図４の要部の拡大図である。
【図６】図６は図１のＡ−Ａ線から見たツメ部を含む要部の断面図である。
【図７】図７は図６の状態からツメ部と係止部との係止が外れ始めたときの断面図である。
【図８】図８は図７の状態からツメ部と係止部との係止が外れたときの断面図である。
【図９】図９は図８の状態からツメ部がスライド部から抜けた後の状態の断面図である。
【図１０】図１０は比較例のドラム式洗濯乾燥機のツメ部を含む要部の断面図である。
【図１１】図１１はこの発明の第２実施形態の衣類処理装置の一例としてのドラム式洗濯乾燥機の斜視図である。
【図１２】図１２はこの発明の第３実施形態の衣類処理装置の一例としてのドラム式洗濯乾燥機のドアを開けた状態の斜視図である。
【発明を実施するための形態】
【００１４】
以下、この発明の衣類処理装置を図示の実施の形態により詳細に説明する。
【００１５】
〔第１実施形態〕
図１はこの発明の第１実施形態の衣類処理装置の一例としてのドラム式洗濯乾燥機の斜視図である。
【００１６】
この第１実施形態のドラム式洗濯乾燥機は、図１に示すように、外箱１と、開口部４(図２に示す)を開閉する円盤形状のドア２と、外箱１内に配置された洗濯槽(図示せず)と、その洗濯槽内に回転可能に配置された回転ドラム３(図２に示す)を備える。また、外箱１の前面上側に、運転動作を選択して指示入力すると共に運転状態を表示する操作パネル６を設けている。また、外箱１の天面の左後面側に給水ホース接続口７と風呂水吸水口８を設けている。また、外箱１の天面の右後面側に乾燥フィルタ装置９を装着している。また、外箱１の前面の左上側に洗剤ケース６１を装着し、外箱１の前面の左下側に糸くずフィルタ装置６２を装着している。なお、図１において、６３は排水ホース接続口である。また、ドア２の外縁側に把手１０を取り付けている。この把手１０は、操作部の一例である。
【００１７】
また、図２はドラム式洗濯乾燥機のドア２を開けた状態の斜視図を示している。
【００１８】
図２に示すように、略円盤状のドア２を、ドア取付金具２０と外箱１側のヒンジ部３０を介して外箱１の開口部４に取り付けている。外箱１の開口部４の左側に設けられたヒンジ部３０は、ドア２を回動可能に支持する。なお、外箱１の開口部４の内縁側に環状の枠部材５を取り付けている。
【００１９】
また、ドア２の外縁側かつ把手１０の下側にツメ部１１を設けている。一方、外箱１の開口部４の右側に、係止部４１ａを有するロック機構４０を設けている。ドア２を閉めた状態でツメ部１１が係止部４１ａと係止する(図６参照)。
【００２０】
なお、ヒンジ部３０を外箱１の開口部４の右側に設け、ロック機構４０を外箱１の開口部４の左側に設けてもよい。
【００２１】
ドア２が閉められると、ドア２のツメ部１１が外箱１の係止部４１ａに係止する一方、ドア２を閉じた状態で、把手１０が手前に引かれることによって、ツメ部１１をドア２の中央側に向けて回動させてツメ部１１が係止部４１ａから外れる。
【００２２】
また、外箱１内に配置された洗濯槽(図示せず)および回転ドラム３は、ドア２側に開口しており、ドア２を開くことにより外箱１の開口部４を介して回転ドラム３内に洗濯物(図示せず)を出し入れできる。また、ドア２を閉じることで、洗濯槽は水密かつ気密が保たれる。
【００２３】
また、上記ドラム式洗濯乾燥機は、外箱１内の背面側下部に配置された乾燥用のヒートポンプユニット(図示せず)と、そのヒートポンプユニットを介して洗濯槽内の空気を循環させるための循環経路を備えている。
【００２４】
上記構成のドラム式洗濯乾燥機では、操作パネル６(図１に示す)から運転コースの選択や各工程の時間設定などが入力されると、その選択情報や設定情報が入力された制御装置(図示せず)によって、例えば洗濯から乾燥までの一連の動作を実行する。
【００２５】
図３はドア２の裏面図を示している。ドア２は、図３に示すように、環状の支持枠２１と、その環状の支持枠２１の内側に取り付けられた円錐台形状のガラス製の窓部材２２と、環状の支持枠２１の正面視左側(図３では右側)に取り付けられた接続部材２４と、環状の支持枠２１の裏面側に取り付けられた環状の押さえ部材２５とを有している。接続部材２４には、図２に示すドア取付金具２０を介してヒンジ部３０(図２に示す)が接続される。
【００２６】
また、ドア２は、環状の支持枠２１の正面視右側(図３では左側)に把手１０とツメ部１１を有する。図３では、ツメ部１１は、図２に示す外箱１の係止部４１ａに係止可能な位置に開口部４(図２に示す)側に向かって突出している。
【００２７】
また、図４はドア２の押さえ部材２５を外した状態の裏面図を示し、図５は図４の要部の拡大図を示している。図４,図５において、図１〜図３に示す構成と同一の構成部には同一参照番号を付している。
【００２８】
図４,図５に示すように、把手１０に設けられた軸部１０ａ,１０ａを回動可能に支持する軸受部１２,１２を環状の支持枠２１の裏面側に設けている。この軸受部１２,１２の軸Ｚ(図５に示す)を中心に把手１０が前後方向に回動する。
【００２９】
また、把手１０の軸部１０ａ,１０ａよりも径方向内側にアーム１０ｃ,１０ｃを設けている。
【００３０】
また、把手１０の下側には、環状の支持枠２１の裏面側にシーソー部１３を傾動可能に取り付けている。このシーソー部１３の上側の一端が、把手１０の下側のアーム１０ｃを押さえつけるように、コイルバネ１５によりツメ部１１を介してシーソー部１３を付勢している。
【００３１】
また、シーソー部１３の下側には、環状の支持枠２１の裏面側に軸１４が取り付けられている。この軸１４によってツメ部１１を回動自在に支持している。また、軸１４に巻装されたコイルバネ１５により、ツメ部１１を径方向外向に付勢している。
【００３２】
ここで、把手１０を手前(図５の紙面に垂直な方向の下向き)に引くと、把手１０の下側のアーム１０ｃが環状の支持枠２１の裏面から離間して、シーソー部１３の上側の一端を持ち上げる。それにより、シーソー部１３の下側の他端が、軸１４に回動自在に支持されたツメ部１１の基部１１ａを押さえつけることにより、基部１１ａに連動してツメ部１１が、コイルバネ１５の付勢力に抗して係止部４１ａ(図６に示す)から外れるように径方向内向に回動する。
【００３３】
また、図６は図１のＡ−Ａ線から見たツメ部１１を含む要部の断面図を示しており、この図６は、ツメ部１１が係止部４１ａに係止した状態を表している。図６において、図１〜図３に示す構成と同一の構成部には同一参照番号を付している。なお、図６において、２２は、ガラス製の窓部材、２６は透明樹脂製の前面カバーである。
【００３４】
図６に示すように、ロック機構４０のハウジング４１内に、スライド部４２がドア２の径方向(図６中の左右方向)に沿ってスライド可能に収納されている。このスライド部４２は係脱機構の一例である。
【００３５】
図６に示すように、ツメ部１１は、基部１１aと、その基部１１aからロック機構４０側に延びるアーム部１１bと、アーム部１１bの先端から径方向外向に屈曲する鉤部１１cを有している。ドア２を閉めた状態において回転中心の外側でツメ部１１が係止部４１ａと係止する。
【００３６】
また、ツメ部１１の基部１１aは、軸１４を中心に回動可能に支持されている。
【００３７】
また、ハウジング４１のツメ部１１に対向する箇所に挿入口４３を設けている。ハウジング４１の挿入口４３の径方向外側の縁部分に係止部４１ａを設けると共に、ハウジング４１の係止部４１ａ側かつ挿入口４３の縁に、テーパー面４１ｂを形成している。
【００３８】
ハウジング４１内のスライド部４２には、ツメ部１１の鉤部１１cが没入する凹部４２ａを設けている。
【００３９】
ドア２が閉じているときは、スライド部４２の凹部４２ａにツメ部１１の鉤部１１cが没入し、かつ、スライド部４２が径方向外側に移動した状態で、ツメ部１１の鉤部１１cがハウジング４１の係止部４１ａに係止している。
【００４０】
このとき、例えば洗濯工程を実行するとき、ロック機構４０に設けたプランジャなどを駆動してスライド部４２の動きを規制することによって、把手１０が手前に引かれてもツメ部１１が係止部４１ａから外れないようにしている。
【００４１】
図７〜図９は、図６の状態から把手１０を手前に引くことにより、ツメ部１１と係止部４１ａとの係止が外れてドア２が開く動きを示している。
【００４２】
まず、図６の状態から把手１０を、所定の引っ張り荷重よりも大きな力で手前に引くと、図７に示すように、ツメ部１１と係止部４１ａとの係止が外れる。
【００４３】
次に、把手１０を手前に引っ張り続けると、ツメ部１１と係止部４１ａとの係止が外れた図７の状態から、図８に示すように、スライド部４２の凹部４２ａからツメ部１１の鉤部１１cが抜け、ドア２が開いた状態になる。
【００４４】
そして、把手１０から手を離すと、図８の状態からツメ部１１は、コイルバネ１５(図５に示す)の付勢力により、外側方向に回動し、元の位置に戻る。
【００４５】
そして、このドア２が開いた状態で把手１０を操作せずにドア２を閉めようとすると、図９に示すように、ツメ部１１の鉤部１１cがストッパー部４１ｃに当接することで、ドア２が閉まらないようにしている。ここで、ストッパー部４１ｃが当接するツメ部１１の平坦面１１ｄは、ストッパー部４１ｃに当接した状態において、その当接位置を通りかつ軸１４を中心とする円における上記当接位置を通る接線に対して鋭角をなす方向(反時計回り)に傾いている。これにより、ドア２が閉まる方向に押されても、ツメ部１１が中央側に回動する力が働かないので、確実にドア閉じ防止ができる。
【００４６】
一方、図１０に示す比較例のドラム式洗濯乾燥機では、ドア２を押しながらツメ部１１１が係止部４１ａに係止してドア２が閉じられ、ドア閉じ防止機能を有していない。なお、図１０の比較例は、この発明ではなく、この発明を理解しやすくするために説明するものである。また、ツメ部１１１を除いて第１実施形態のドラム式洗濯乾燥機と同一の構成をしており、図１〜図５を援用する。
【００４７】
詳しくは、図１０の状態からドア２が押し込まれると、ツメ部１１１の鉤部１１１cの湾曲面１１１dが、ハウジング４１のテーパー面４１ｂに当接して径方向内向(図１０において左方向)に押されて、ツメ部１１１が中央側に回動する。これにより、スライド部４２の凹部４２ａ内にツメ部１１１の鉤部１１１cが没入する。そして、ドア２側のツメ部１１１は、ハウジング４１の係止部４１ａに係止した状態に保持されて、ドア２が閉まる。
【００４８】
これに対して、この発明の第１実施形態の構成のドラム式洗濯乾燥機によれば、ドア２が開状態で、かつ、ツメ部１１を回動させて係止部４１ａに係止可能にする把手１０(操作部)が操作されていない状態において、ドア２の外縁側に開口部４に向かって突出するように設けられたツメ部１１が、外箱１の開口部４の周縁部分に設けられたストッパー部４１ｃに当接することでドア２が閉まらないようにしている。一方、上記ドア２が開状態で、かつ、把手１０が操作されてツメ部１１が回動した状態において、ツメ部１１がストッパー部４１ｃに当接しないことによって、ドア２を閉鎖可能にしている。これによって、簡単な構成で使用性のよいドア閉じ防止ができる。
【００４９】
また、操作部としてドア２に設けられた把手１０を用いることにより、別に操作部を設けることなく、ドア２の開閉時に持つ把手１０でツメ部１１を回動させる操作ができ、ドア閉じ防止機能を解除できる。
【００５０】
上記第１実施形態では、ドア２に回動可能に支持されたツメ部１１を用いたドラム式洗濯乾燥機について説明したが、ドアにスライド可能に支持されたツメ部を用いたものにこの発明を適用してもよい。
【００５１】
また、上記第１実施形態では、操作部としての把手１０を手前に引くことによって、ツメ部１１を回動させてドア２を閉めたが、ツメ部を回動またはスライドさせて係止部に係止可能にする操作部はこれに限らず、押しボタンやレバーなどの他の構成の操作部を用いてもよい。
【００５２】
また、上記第１実施形態では、ハウジング４１の係止部４１ａ側かつ挿入口４３の縁に、テーパー面４１ｂを形成していたが、テーパー面４１ｂを形成しなくてもよい。このようにする場合、例えば、ハウジング４１の係止部４１ａ側かつ挿入口４３の縁は、ハウジング４１の係止部４１ａとは反対側かつ挿入口４３の縁と同形状にしてもよい。
【００５３】
また、上記第１実施形態では、ハウジング４１の係止部４１ａ側かつ挿入口４３の縁に、テーパー面４１ｂを形成していたが、テーパー面４１ｂを形成しなくてもよい。このようにする場合、例えば、ハウジング４１の係止部４１ａ側かつ挿入口４３の縁は、ハウジング４１の係止部４１ａとは反対側かつ挿入口４３の縁と同形状にしてもよい。
【００５４】
また、上記第１実施形態において、ツメ部１１は、例えば、樹脂、金属などで形成されてもよい。
【００５５】
〔第２実施形態〕
図１１はこの発明の第２実施形態の衣類処理装置の一例としてのドラム式洗濯乾燥機の斜視図である。この第２実施形態のドラム式洗濯乾燥機は、ロック解除ボタン２１０を除いて図１,図２に示す第１実施形態のドラム式洗濯乾燥機と同一の構成をしており、同一構成部には同一参照番号を付している。
【００５６】
この第２実施形態のドラム式洗濯乾燥機は、ドア２が閉じた状態から開いたとき、把手１０は、操作が禁止されたロック状態となる。また、図１１に示すように、ドア２の把手１０の上側に隣接するようにロック解除ボタン２１０を設けている。このロック解除ボタン２１０は、把手１０のロック状態を解除する。
【００５７】
上記第２実施形態によれば、ロック解除ボタン２１０を操作中のみ、把手１０の操作が可能になるので、ロック解除ボタン２１０の操作中に操作部１０の操作を同時に行わないと、把手１０を操作してドア２を閉鎖可能にできない。これにより、把手１０を誤って操作してドア２が閉じることがなく、確実なドア閉じ防止ができる。
【００５８】
上記ドラム式洗濯乾燥機では、把手１０を操作するときに手の指が届く範囲にロック解除ボタン２１０を設けることにより、片手で把手１０を操作しながらロック解除ボタン２１０によりロック状態を解除することができる。
【００５９】
上記第２実施形態のドラム式洗濯乾燥機においても、第１実施形態のドラム式洗濯乾燥機と同様の効果を有する。
【００６０】
なお、上記第２実施形態の変形例としては、ツメ部が図１０に示すツメ部１１１の形状とする。この場合であっても、ロック解除ボタン２１０が押されない限り、把手１０の操作ができないため、それに連動するツメ部１１１も回動しない。これによって、把手１０を操作せずにドア２を閉めようとしても、ツメ部１１１が回動しないため、ドア閉じを防止できる。
【００６１】
〔第３実施形態〕
図１２はこの発明の第３実施形態の衣類処理装置の一例としてのドラム式洗濯乾燥機のドアを開けた状態の斜視図である。この第３実施形態のドラム式洗濯乾燥機は、ドア閉じ防止部３１０を除いて図１,図２に示す第１実施形態のドラム式洗濯乾燥機と同一の構成をしており、同一構成部には同一参照番号を付している。
【００６２】
この第３実施形態のドラム式洗濯乾燥機は、ドア２の外縁側に径方向に出没可能に設けられたドア閉じ防止部３１０を備えている。上記ドア２が開いた状態でドア閉じ防止部３１０が径方向外向に突出して、ドア２が閉まらないようにしている。
【００６３】
そして、上記ドア２が開いてドア閉じ防止部３１０が径方向外向に突出した状態で、把手１０(解除操作部)を操作することによりドア閉じ防止部３１０を径方向内向に没入させて、ドア閉じ防止部３１０をドア２内に収納し、ドア２を閉鎖可能にする。
【００６４】
上記第３実施形態によれば、ドア２側のツメ部１１が外箱１側のストッパー部４１ｃに当接することと、ドア閉じ防止部３１０が外箱１の開口部４の周縁部分に当たることで、使用性のよいドア閉じ防止がより確実にできる。
【００６５】
上記第３実施形態のドラム式洗濯乾燥機においても、第１実施形態のドラム式洗濯乾燥機と同様の効果を有する。
【００６６】
なお、上記第３実施形態のドラム式洗濯乾燥機では、ドア２側のツメ部１１が外箱１側のストッパー部４１ｃに当接することでドア閉じ防止する構成は無くともよい。
【００６７】
なお、上記第３実施形態の変形例としては、ツメ部が図１０に示すツメ部１１１の形状とする。この場合であっても、把手１０(解除操作部)を操作することによりドア閉じ防止部３１０を径方向内向に没入させて、ドア閉じ防止部３１０をドア２内に収納し、ドア２を閉鎖可能となる。したがって、把手１０を操作せずにドア２を閉めようとしても、ツメ部１１１が回動しないため、ドア閉じを防止できる。
【００６８】
上記第１〜第３実施形態では、衣類処理装置としてのドラム式洗濯乾燥機について説明したが、衣類処理装置はこれに限らず、ドラム式洗濯機やドラム式乾燥機あるいはドラム式でない構成の洗濯機や乾燥機などの衣類処理装置にこの発明を適用してもよい。
【００６９】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００７０】
この発明および実施形態をまとめると、次のようになる。
【００７１】
この発明の衣類処理装置は、
前面側に開口部４を有する外箱１と、
上記外箱１の開口部４に開閉可能に取り付けられたドア２と、
上記ドア２の外縁側に上記開口部４側に向かって突出するように設けられ、上記ドア２に回動可能またはスライド可能に支持されたツメ部１１と、
上記外箱１の開口部４の周縁部分に設けられ、上記ドア２が上記外箱１の開口部４を閉じた状態で上記ツメ部１１が係止する係止部４１ａと、
上記ドア２に設けられ、上記ツメ部１１を回動またはスライドさせて上記係止部４１ａに係止可能にする操作部１０と、
上記外箱１の開口部４の周縁部分に設けられたストッパー部４１ｃと
を備え、
上記ドア２が開状態でかつ上記操作部１０が操作されていない状態において、上記ツメ部１１が上記ストッパー部４１ｃに当接することで上記ドア２が閉まらないようにしており、
上記ドア２が開状態でかつ上記操作部１０の操作により上記ツメ部１１が回動またはスライドした状態において、上記ツメ部１１が上記ストッパー部４１ｃに当接しないことによって、上記ドア２を閉鎖可能にしていることを特徴とする。
【００７２】
上記構成によれば、ドア２が開状態で、かつ、ツメ部１１を回動またはスライドさせて係止部４１ａに係止可能にする操作部１０が操作されていない状態において、ドア２の外縁側に開口部４に向かって突出するように設けられたツメ部１１が、外箱１の開口部４の周縁部分に設けられたストッパー部４１ｃに当接することでドア２が閉まらないようにしている。一方、上記ドア２が開状態で、かつ、操作部１０が操作されてツメ部１１が回動またはスライドした状態において、ツメ部１１がストッパー部４１ｃに当接しないことによって、ドア２を閉鎖可能にしている。これによって、簡単な構成で使用性のよいドア閉じ防止ができる。
【００７３】
また、一実施形態の衣類処理装置では、
上記操作部１０は、上記ドア２に設けられた把手である。
【００７４】
上記実施形態によれば、操作部１０としてドア２に設けられた把手を用いることにより、別に操作部を設けることなく、ドア２の開閉時に持つ把手でツメ部１１を回動またはスライドさせる操作ができる。
【００７５】
また、一実施形態の衣類処理装置では、
上記操作部１０は、上記ドア２が閉じた状態から開いたとき、操作が禁止されたロック状態となり、
上記ドア２の上記操作部１０に隣接するように設けられ、上記操作部１０のロック状態を解除するためのロック解除ボタン２１０を備え、
上記ロック解除ボタン２１０を操作中のみ、上記操作部１０の操作が可能になる。
【００７６】
上記実施形態によれば、ロック解除ボタン２１０を操作中のみ、操作部１０の操作が可能になるので、ロック解除ボタン２１０の操作中に操作部１０の操作を同時に行わないと、操作部１０を操作してドア２を閉鎖可能にできない。これにより、操作部１０を誤って操作してドア２が閉じることがなく、確実なドア閉じ防止ができる。
【００７７】
また、一実施形態の衣類処理装置では、
上記ドア２の外縁側に径方向に出没可能に設けられ、上記ドア２が開いた状態で径方向外向に突出して上記ドア２が閉まらないようにするドア閉じ防止部３１０と、
上記ドア２が開いた状態で突出した上記ドア閉じ防止部３１０を没入させる解除操作部１０と
を備え、
上記ドア２が開いて上記ドア閉じ防止部３１０が径方向外向に突出した状態で、上記解除操作部１０を操作することにより上記ドア閉じ防止部３１０を径方向内向に没入させて上記ドア２を閉鎖可能にする。
【００７８】
上記実施形態によれば、ドア２の外縁側に径方向に出没可能に設けられたドア閉じ防止部３１０が、ドア２が開いた状態で径方向外向に突出するので、ドア閉じ防止部３１０が外箱１の開口部４の周縁部分に当たってドア２が閉まらないようにする。そして、上記ドア２が開いてドア閉じ防止部３１０が径方向外向に突出した状態で、解除操作部１０を操作することによりドア閉じ防止部３１０を径方向内向に没入させてドア２を閉鎖可能にする。
【００７９】
したがって、ドア２側のツメ部１１が外箱１側のストッパー部４１ｃに当接することと、ドア閉じ防止部３１０が外箱１の開口部４の周縁部分に当たることで、使用性のよいドア閉じ防止がより確実にできる。
【００８０】
また、この発明の衣類処理装置は、
前面側に開口部４を有する外箱１と、
上記外箱１の開口部４に開閉可能に取り付けられたドア２と、
上記ドア２の外縁側に径方向に出没可能に設けられ、上記ドア２が開いた状態で径方向外向に突出して上記ドア２が閉まらないようにするドア閉じ防止部３１０と、
上記ドア閉じ防止部３１０を径方向内向に没入させる解除操作部１０と
を備え、
上記ドア２が開いて上記ドア閉じ防止部３１０が径方向外向に突出した状態で、上記解除操作部１０を操作することにより上記ドア閉じ防止部３１０を径方向内向に没入させて上記ドア２を閉鎖可能にする。
【００８１】
上記構成によれば、ドア２の外縁側に径方向に出没可能に設けられたドア閉じ防止部３１０が、ドア２が開いた状態で径方向外向に突出するので、ドア閉じ防止部３１０が外箱１の開口部４の周縁部分に当たってドア２が閉まらないようにする。そして、上記ドア２が開いてドア閉じ防止部３１０が径方向外向に突出した状態で、解除操作部１０を操作することによりドア閉じ防止部３１０を径方向内向に没入させてドア２を閉鎖可能にする。
【００８２】
したがって、ドア閉じ防止部３１０が外箱１の開口部４の周縁部分に当たることで、使用性のよいドア閉じ防止ができる。
【符号の説明】
【００８３】
１…外箱
２…ドア
３…回転ドラム
４…開口部
５…環状の枠部材
６…操作パネル
７…給水ホース接続口
８…風呂水吸水口
９…乾燥フィルタ装置
１０…把手
１０ａ,１０ａ…軸部
１１…ツメ部
１１ａ…基部
１１ｂ…アーム部
１１ｃ…鉤部
１１ｄ…平坦面
１２,１２…軸受部
１３…シーソー部
１４…軸
１５…コイルバネ
１７…リンク部
２０…ドア取付金具
２１…環状の支持枠
２２…窓部材
２４…接続部材
２５…環状の押さえ部材
２６…前面カバー
３０…ヒンジ部
４０…ロック機構
４１…ハウジング
４１ａ…係止部
４１ｂ…テーパー面
４１ｃ…ストッパー部
４２…スライド部
４２ａ…凹部
４３…挿入口
６１…洗剤ケース
６２…糸くずフィルタ装置
６３…排水ホース接続口
２１０…ロック解除ボタン
３１０…ドア閉じ防止部
【図１】
0006667252.tif 000002
【図２】
0006667252.tif 000003
【図３】
0006667252.tif 000004
【図４】
0006667252.tif 000005
【図５】
0006667252.tif 000006
【図６】
0006667252.tif 000007
【図７】
0006667252.tif 000008
【図８】
0006667252.tif 000009
【図９】
0006667252.tif 000010
【図１０】
0006667252.tif 000011
【図１１】
0006667252.tif 000012
【図１２】
0006667252.tif 000013